(57)【要約】【課題】  胴部材の股間部を鼠径部に沿った略Ｖ字状に形成して脚部材を連結させる構造であるにもかかわらず、股関節を屈曲させても股が開かない人形の股関節構造を得る【解決手段】  脚部材を胴部材に対して回転可能に連結してなる人形の股関節構造において、胴部材に股間部が鼠径部に沿った形状となるように該股間部を挟んで両側に股関節凹部を形成し、脚部材に股関節凹部に嵌る形状の股関節凸部を形成し、両股関節凹部を胴部材に対する脚部材の回転軸からずれて伸びるように形成された連結孔によって繋ぎ、両脚部材の股関節凸部を股関節凹部に嵌めた状態において連結孔を通して架け渡される連結弾性体によって互いに牽引し、胴部材に対して脚部材を屈曲させることによって連結弾性体を連結孔に沿って回転軸の前側上方に誘導させるように構成する。【選択図】  図６
2008023046.tif 000002
【特許請求の範囲】
【請求項１】
脚部材を胴部材に対して回転可能に連結してなる人形の股関節構造であって、胴部材には股間部が鼠径部に沿う形状となるように該股間部を挟んで両側に股関節凹部が形成されており、脚部材には股関節凹部に嵌る形状の股関節凸部が形成されており、両股関節凹部は胴部材に対する脚部材の回転軸からずれて伸びるように形成された連結孔によって繋がっており、両脚部材は股関節凸部を股関節凹部に嵌めた状態において連結孔を通して架け渡される連結弾性体によって互いに牽引されており、胴部材に対して脚部材を屈曲させることによって連結弾性体が連結孔に沿って回転軸に対して前側上方に誘導されることを特徴とする人形の股関節構造。
【請求項２】
胴部材に対して脚部材を屈曲させていない状態において連結弾性体が回転軸に対して下方に位置付けられている請求項１記載の股関節構造。
【請求項３】
連結孔が胴部材に対する脚部材の回転軸を中心とした同心円上を伸びるように形成されている請求項１又は２記載の人形の股関節構造。
【請求項４】
脚部材と胴部材とが中空状に形成されており、脚部材の股関節凸部を胴部材の股関節凹部に嵌めた状態において胴部材の中空部と脚部材の中空部とが連通すると共に胴部材の中空部内から脚部材の中空部内へ通された弾性体によって脚部材が胴部材側へ牽引されている請求項１乃至３のいずれかに記載の人形の股関節構造。
【請求項５】
請求項１乃至４のいずれかの股関節構造を備えた人形。
【発明の詳細な説明】
【技術分野】
【０００１】
本発明は、人形の股関節構造及び該股関節構造を備えた人形に関するものである。
【背景技術】
【０００２】
周知の通り、関節を可動できる人形においては、関節を可動させた際に思い通りの姿勢をとらせることができ、かつ、それぞれの姿勢において美しい外観を保つことが必要となる。しかし、硬質な素材によって形成された人形においては、外観を優先して関節を形成すると、隣接する部材が干渉し合って思い通りの姿勢をとらせることができず、また、可動を優先して関節を形成すると、隣接する部材の間に大きな隙間が生じて外観が損なわれるため、これら二つの要件を満たす関節の開発は非常に困難とされている。
【０００３】
例えば、後出特許文献１には、胴部の下端に腰部が分割連接し、これに左右脚部が連接し、この左右脚部は左右大腿および左右足付の左右下腿とからなり、左右足には連結可能の足フックを設けている。そして、胴部の下部内方空胴に設けた案内棒に足引張りコイルばねの中央を引掛け、それから両側を胴部の下端より腰部を上下に貫通し、左右脚部内を基端より先端へと挿通し、左右下腿内の掛棒に両先端を引掛け、足引張りコイルばねを内設し、胴部に対して腰部および左右脚部の各連続面を圧接し、腰部および左右脚部を所要に弾支している人形玩具が開示されている。
【０００４】
また、後出特許文献２には、人形の手足を胴の内部に配した紐状の弾性体で連結する連結構造において、左右の大腿部に連結する一対の弾性体を人形の首部から下方に吊り下げた吊具に連結し、吊具から大腿部を連結する弾性体は、可動自在な腰部を通して大腿部に連結されている人形玩具が開示されている。
【０００５】
さらに、後出特許文献３には、人形自体の主体となる空洞状の胴体部と、この胴体部の上部に屈曲自在に弾発的に連繋した頸部分を有する頭体部と、同じく胴体部の上部左右の肩部分に屈曲自在に弾発的に連繋した左右の腕体部と、同じく胴体部の下部底面に屈曲自在に弾発的に連繋した左右脚体部と、頭体部、腕体部、脚体部夫々を胴体部内部で弾発的に牽引連繋する保持手段とからなり、脚体部は、胴体部の下部底面左右に形成したほぼ球面状の脚体連結凹面に嵌め入れられる筒状の腿部分、球筒状の膝部分、足首・足指を一体化してある脛部分を連繋して成り、保持手段は、頭体部内部、脚体部の脛部分内部夫々で頭体・脚体末端部を係止すると共に、胴体部の上下で貫通することで頭体部、左右の脚体部夫々の相互を連繋している頭体・脚体弾性紐材とから形成してある人形が開示されている。
【特許文献１】実開昭６３−１６６２９５号
【特許文献２】実用新案登録第３０５８１４０号
【特許文献３】実用新案登録第３０６８７０３号
【発明の開示】
【発明が解決しようとする課題】
【０００６】
特許文献１や特許文献２に開示された人形のように、胴部材の股間部を鼠径部に沿うように略Ｖ字状に形成して脚部材を連結した場合には、胴部材と脚部材との間に隙間が生じ難く、外観を美しく構成することができるが、股関節を屈曲させた際に、胴部材の股関節に当たる部分と脚部材の股関節に当たる部分とが干渉し合って自然と股が開いた状態となるという問題点があった。
【０００７】
これに対して、特許文献３に開示された人形のように、胴部材の股間部を比較的水平に形成して脚部材を連結した場合には、前記各特許文献に開示された人形のように股関節を屈曲させた際における股の開きはなくなるものの、胴部材と脚部材との間に大きな隙間が生じると共に、両部材の繋ぎ目が不自然な形状になるため、外観が損なわれるという問題点があり、さらに、胴部材と脚部材との接触面が小さくなるため、立ち姿勢における股関節の安定性が損なわれるという問題点もあった。
【０００８】
そこで、本発明は、胴部材の股間部を鼠径部に沿った略Ｖ字状に形成して脚部材を連結させる構造であるにもかかわらず、股関節を屈曲させても股が開かない人形の股関節構造を得ることを技術的課題として、その具現化をはかるべく、試作・実験を繰り返した結果、脚部材を胴部材に対して回転可能に連結してなる人形の股関節構造において、胴部材に股間部が鼠径部に沿った形状となるように該股間部を挟んで両側に股関節凹部を形成し、脚部材に股関節凹部に嵌る形状の股関節凸部を形成し、両股関節凹部を胴部材に対する脚部材の回転軸からずれて伸びるように形成された連結孔によって繋ぎ、両脚部材の股関節凸部を股関節凹部に嵌めた状態において連結孔を通して架け渡される連結弾性体によって互いに牽引し、胴部材に対して脚部材を屈曲させることによって連結弾性体を連結孔に沿って回転軸の前側上方に誘導させるように構成すれば、胴部材を脚部材に対して屈曲させた際における股の開きを規制することができるという刮目すべき知見を得、前記技術的課題を達成したものである。
【課題を解決するための手段】
【０００９】
前記技術的課題は、次の通りの本発明によって解決できる。
【００１０】
即ち、本発明に係る人形の股関節構造は、脚部材を胴部材に対して回転可能に連結してなる人形の股関節構造であって、胴部材には股間部が鼠径部に沿う形状となるように該股間部を挟んで両側に股関節凹部が形成されており、脚部材には股関節凹部に嵌る形状の股関節凸部が形成されており、両股関節凹部は胴部材に対する脚部材の回転軸からずれて伸びるように形成された連結孔によって繋がっており、両脚部材は股関節凸部を股関節凹部に嵌めた状態において連結孔を通して架け渡される連結弾性体によって互いに牽引されており、胴部材に対して脚部材を屈曲させることによって連結弾性体が連結孔に沿って回転軸に対して前側上方に誘導されるものである。
【００１１】
また、本発明は、前記人形の股関節構造において、胴部材に対して脚部材を屈曲させていない状態において連結弾性体が回転軸に対して下方に位置付けられているものである。
【００１２】
また、本発明は、前記いずれかの人形の股関節構造において、連結孔が胴部材に対する脚部材の回転軸を中心とした同心円上を伸びるように形成されているものである。
【００１３】
また、本発明は、前記いずれかの人形の股関節構造において、脚部材と胴部材とが中空状に形成されており、脚部材の股関節凸部を胴部材の股関節凹部に嵌めた状態において胴部材の中空部と脚部材の中空部とが連通すると共に胴部材の中空部内から脚部材の中空部内へ通された弾性体によって脚部材が胴部材側へ牽引されているものである。
【００１４】
また、本発明に係る人形は、前記いずれかの人形の股関節構造を備えたものである。
【発明の効果】
【００１５】
本発明によれば、両脚部材を股間部に形成された連結孔に通される連結弾性体によって互いに牽引させ、胴部材に対して脚部材を屈曲させた際に、連結弾性体が連結孔に誘導されて回転軸に対して前側上方に位置付けられるように構成したので、胴部材に対して脚部材を屈曲させた際に、股関節凹部と股関節凸部との干渉によって生じる脚部材を開かせる動きと脚部材を外側へ回転させる動きが回転軸に対して前側上方に位置付けられる連結弾性体の牽引によって抑制され、胴部材に対して脚部材を屈曲させた際に股を閉じた状態の姿勢を保つことができる。
【００１６】
また、股間部が鼠径部に沿った形状になっていることから、連結孔の両股関節凹部間の幅も下端から上端へ向かうに従って広くなり、股関節を屈曲させることによって連通孔の下端部から上端部へ誘導された連結弾性体はより引き伸ばされた状態となって両脚部材を牽引する力が増すように構成したので、連結弾性体による両脚部材への牽引力を必要としない胴部材に対して脚部材を屈曲させていない状態において連結弾性体の牽引力が小さくなり、連結弾性体による両脚部材への牽引力を必要とする胴部材に対して脚部材を屈曲させた状態において連結弾性体の牽引力が大きくなり、各姿勢における連結弾性体の牽引力が適正な大きさに調整される。
【００１７】
従って、本発明の産業上利用性は非常に高いといえる。
【発明を実施するための最良の形態】
【００１８】
以下、本発明の実施の形態を図面に基づき説明する。
【００１９】
実施の形態．
【００２０】
図１は本実施の形態に係る人形の中空部に通された弾性体の様子を点線にて示した平面図である。図２は図１に示す人形の股関節を示した部分断面図である。図３は図２に示す人形の股関節のＡ−Ａ断面図である。図４は図２に示す人形の股関節を示した分解斜視図である。図５は図２に示す人形の股関節の動作状態における脚部材と各弾性体との関係を示した平面図であり、図中、胴部材及び各弾性体は点線にて示している。図６は図５に示す人形の股関節の動作状態における胴部材と各弾性体との関係を示した断面図であり、図中、脚部材と各弾性体とは点線にて示している。これらの図において、１は、人形の頭を構成する頭部材２と、人形の胴体を構成する二分割された胴部材３と、人形の腕を構成する腕部材４と、人形の脚を構成する脚部材５とからなる人形である。
【００２１】
図１に示すように、頭部材２は、中空状に形成されている。胴部材３は、人形の首・胸を構成する上胴部材６と、人形の腹・腰を構成する下胴部材７とからなっており、上胴部材６には、上端から下端へと貫通すると共に両肩関節に当たる位置で分岐する中空部８が形成されており、下胴部材７には、上端から股間部９を残して下方まで伸びていると共に両股関節に当たる位置で分岐する中空部１０が形成されており、上胴部材６の首部１１先端には、首部１１を貫通する中空部８の開孔１２の直径よりも長い幅を持つＳ字状の掛け具１３が配置される。腕部材４は、人形の上腕を構成する上腕部材１４と、人形の肘関節を構成する肘関節部材１５と、人形の前腕を構成する前腕部材１６と、人形の手関節を構成する手関節部材１７と、人形の手を構成する手部材１８とからなっており、手部材１８を除く他の部材には、上端から下端へと貫通する中空部が形成されており、手部材１８には、掛け具が設けられている（図示せず）。脚部材５は、人形の膝上を構成する膝上部材１９と、人形の膝下を構成する膝下部材２０とからなっており、膝上部材１９には、下端から上端へと貫通する中空部２１が形成されており、膝下部材２０には、膝関節に当たる部分に前後方向へ縦割された溝２２が形成されており、溝２２には掛け棒２３が架け渡されている。
【００２２】
さらに、人形１の股関節構造について詳述すると、図２乃至図４に示すように、下胴部材７には、股間部９を挟んで両側に下向きお椀状の股関節凹部２４が形成されており、両股関節凹部２４によって下胴部材７の股間部９は鼠径部に沿うように略Ｖ字状に形成される。そして、下胴部材７の股関節に当たる位置で分岐した中空部１０は、両股関節凹部２４の上方に位置する面へ貫通して開孔２５を形成している。また、下胴部材８の股間部９には、両股関節凹部２４を繋ぐように貫通する連絡孔２６が形成されており、連結孔２６は、図４に示すように、下胴部材７に対する膝上部材１９の回転軸（図４中、×印にて示す）と同心円上に伸びるように形成されおり、連結孔２６の下端部は回転軸に対して前側下方に位置付けられており、上端部は回転軸に対して前側上方に位置付けられている。なお、本発明における鼠径部とは、人体における股下から腰骨まで伸びる胴体と脚との付け根に当たる部分を示している。
【００２３】
左・右膝上部材１９には、下胴部材７の股関節凹部２４に嵌る略球形状の股関節凸部２７が形成されている。そして、図４に示すように、膝上部材１９の上端へ貫通する中空部２１は、股関節凸部２７の前方に位置する面に上方から股内側に向かって下方へ伸びる開孔２８を形成している。また、膝上部材１９の股関節凸部２７には、後方に位置する面に上方から股内側へ向かって下方へ伸びる隆起部２９が形成されている。
【００２４】
従って、下胴部材７の股関節凹部２４に膝上部材１９の股関節凸部２７を嵌め込むことにより、下胴部材７の中空部１０と膝上部材１９の中空部２１とが股関節凹部２４の開孔２５と股関節凸部２７の開孔２８を介して連通した状態となると共に、両膝上部材１９の中空部２１が股関節凸部２７の開孔２８と股間部９の連絡孔２６を介して連通した状態となる。
【００２５】
次に、本実施の形態に係る人形の組み立て態様について説明する。
【００２６】
図１に示すように、左・右腕部材４は、腕用弾性体３０を上胴部材６の中空部８を跨いで両腕部材４を構成する各部材の中空部に通し、腕用弾性体３０の両端を左・右手部材１８に設けられた掛け具に引っ掛けることにより、上胴部材７側へ牽引して圧接状態で連結させる。
【００２７】
左・右脚部材５は、一対の脚用弾性体３１を胴部材３の中空部８，１０から股関節凹部２４の開孔２５と股関節凸部２７の開孔２８を介して各脚部材５の中空部２１に通し、両脚用弾性体３１の上端を上胴部材６の首部１１先端に配置される掛け具１３に引っ掛けると共に、下端を膝下部材２０の掛け棒２３に掛けられた連結具３２に引っ掛けることにより、胴部材３側へ牽引して圧接状態で連結される。さらに、連結弾性体３３を股間部９の連絡孔２６を跨いで両脚部材５の中空部２１に通し、連結弾性体３３の両端を左・右膝下部材２０の掛け棒２３に掛けられた連結具３２を介して引っ掛けることにより、各脚部材５をそれぞれ対向する脚部材５側へ牽引して圧接状態で連結させる。
【００２８】
なお、上胴部材６と下胴部材７とは、両部材の中空部８，１０に通された脚用弾性体３１によって互いに牽引されて圧接状態で連結される。
【００２９】
次に、本実施の形態に係る人形の股関節の動作について説明する。
【００３０】
股関節を屈曲させる前においては、図６の（ａ）に示すように、連結弾性体３３は股間部９の連結孔２６における下端部を通過して両脚部材５の間に架け渡された状態となっている。ところが、股関節を屈曲させると、図６の（ｂ）に示すように、連結弾性体３３は股間部９の連結孔２６に沿って誘導されて連結孔２６における上端部を通過して両脚部材５の間に架け渡された状態となる。この時、股間部９が鼠径部に沿った形状になっているため、股関節凹部２４と股関節凸部２７とが干渉し合って脚部材５を開かせる力（図５の（ｂ）中、矢印Ａ）が働くと共に脚部材５を回転させる力（図５の（ｂ）中、矢印Ｂ）が働く。しかし、連結弾性体３３が回転軸３４に対して前側に位置付けられるため、回転軸３４を支点として脚部材５を閉じるような力が働くと共に、連結弾性体３３が回転軸３４に対して上方に位置付けられるため、回転軸３４を支点として脚部材５を内側へ回転させるような力が働き、これら二つの力が股関節凹部２４と股関節凸部２７との干渉によって生じる力を規制する。
【００３１】
また、股間部９が鼠径部に沿った形状になっていることから、連結孔２６の両股関節凹部２４間の幅も下端から上端へ向かうに従って広くなり、股関節を屈曲させることによって連通孔２６の下端部から上端部へ誘導された連結弾性体３３はより引き伸ばされた状態となって両脚部材５を牽引する力が増す。
【００３２】
よって、胴部材３に対して脚部材５を屈曲させた際に脚部材５に働く前記二つの力が連結弾性体３３の牽引力により規制され、座った状態の姿勢を美しく維持できる。
【００３３】
なお、胴部材、腕部材及び脚部材の分割位置としては、前記実施の形態に係る人形の胴部材、腕部材及び脚部材における分割位置に限定されず、異なる位置において分割してもよく、また、分割しなくてもよい。
【００３４】
弾性体としては、例えば、ゴム紐、バネなどがあるが、これらのものに限らず、各部材が離れないように牽引できる程度の張力を有するものであればよい。また、前記実施の形態における脚用弾性体は、人形の股関節を構成する下胴部材や膝上部材に直接固定されておらず、両部材を跨いで上胴部材と膝下部材とに設けられた掛け具に固定されているが、人形の股関節を構成する部材に対して直接固定することもできる。
【００３５】
また、前記実施の形態に係る人形は、胴部材と脚部材とを脚用弾性体によって牽引して連結した人形であるが、本発明に係る人形の股関節構造は、胴部材と脚部材とを他の方法によって連結した人形（例えば、胴部材の股関節凹部と脚部材の股関節凸部とを軸部材を介して連結した人形）に対しても採用することができる。
【図面の簡単な説明】
【００３６】
【図１】実施の形態１に係る人形の中空部に通された弾性体の様子を点線にて示した平面図である。
【図２】図１に示す人形の股関節を示した部分断面図である。
【図３】図２に示す人形の股関節を示した分解斜視図である。
【図４】図２に示す人形の股関節のＡ−Ａ断面図である。
【図５】図２に示す人形の股関節の動作状態における脚部材と各弾性体との関係を示した平面図である。
【図６】図５に示す人形の股関節の動作状態における胴部材と各弾性体との関係を示した断面図である。
【符号の説明】
【００３７】
１  人形
２  頭部材
３  胴部材
４  腕部材
５  脚部材
６  上胴部材
７  下胴部材
８，１０，２１  中空部
９  股間部
１１  首部
１２  開孔
１３  掛け具
１４  上腕部材
１５  肘関節部材
１６  前腕部材
１７  手関節部材
１８  手部材
１９  膝上部材
２０  膝下部材
２２  溝
２３  掛け棒
２４  股関節凹部
２５  開孔
２６  連絡孔
２７  股関節凸部
２８  開孔
２９  隆起部
３０  腕用弾性体
３１  脚用弾性体
３２  連結具
３３  連結弾性体
３４  回転軸
【図１】
2008023046.tif 000003
【図２】
2008023046.tif 000004
【図３】
2008023046.tif 000005
【図４】
2008023046.tif 000006
【図５】
2008023046.tif 000007
【図６】
2008023046.tif 000008